(57)【要約】【目的】屋根，壁等の嵌合タイプの外囲体において、力学的強度及び耐久性に優れ、且つ太陽光発電ユニット等の種々の構造物を極めて設置し易い構造にするための建築用取付材及びその外囲体を提供すること。【構成】頂部１１の幅方向中間箇所に位置する開口溝部１４と、前記頂部１１の下方に形成され且つ前記開口溝部１４よりも幅広とした拡大溝部１５とからなる上接続支持部１と、該上接続支持部１の幅方向両側より形成された脚状片２１からなる下接続支持部２とからなること。前記頂部１１の裏面側で且つ前記開口溝部１４の幅方向両側位置には該開口溝部１４の長手方向に沿って押え面部１６が形成されること。前記上接続支持部１と前記下接続支持部２とは一体形成された形鋼材とすること。【選択図】      図１
2014105533.tif 000002
【特許請求の範囲】
【請求項１】
頂部の幅方向中間箇所に位置する開口溝部と、前記頂部の下方に形成され且つ前記開口溝部よりも幅広とした拡大溝部とからなる上接続支持部と、該上接続支持部の幅方向両側より形成された脚状片からなる下接続支持部とからなり、前記頂部の裏面側で且つ前記開口溝部の幅方向両側位置には該開口溝部の長手方向に沿って押え面部が形成され、前記上接続支持部と前記下接続支持部とは一体形成された形鋼材としてなることを特徴とする建築用取付材。
【請求項２】
請求項１において、前記押え面部は前記頂部の裏面側で且つ前記開口溝部の幅方向両側箇所に形成される突起条としてなることを特徴とする建築用取付材。
【請求項３】
請求項１において、前記押え面部は前記開口溝部の幅方向両側箇所に形成される段差面部としてなることを特徴とする建築用取付材。
【請求項４】
請求項１，２又は３のいずれか１項の記載において、前記上接続支持部内には螺合用溝条が形成されてなることを特徴とする建築用取付材。
【請求項５】
請求項１，２，３又は４のいずれか１項の記載において、前記頂部の表面は平坦状に形成されてなることを特徴とする建築用取付材。
【請求項６】
頂部の幅方向中間箇所に位置する開口溝部と、前記頂部の下方に形成され且つ前記開口溝部よりも幅広とした拡大溝部とからなる上接続支持部と、該上接続支持部の幅方向両側より形成された下接続支持部とからなり、前記頂部の裏面側で且つ前記開口溝部の幅方向両側位置には該開口溝部の長手方向に沿って押え面部が形成され、前記上接続支持部と前記下接続支持部とは一体形成された形鋼材としてなる建築用取付材と、主板の幅方向両側に半山形状部が形成された建築用板材とからなり、隣接する前記建築用板材の半山形状部上に前記建築用取付材の下接続支持部が固着されてなることを特徴とする外囲体。
【請求項７】
請求項６において、前記建築用取付材の前記頂部には、太陽光発電ユニットが載置固定されてなることを特徴とする外囲体。
【発明の詳細な説明】
【技術分野】
【０００１】
本発明は、屋根，壁等の嵌合タイプの外囲体において、力学的強度及び耐久性に優れ、且つ太陽光発電ユニット等の種々の構造物を極めて設置し易い構造にすることができる建築用取付材及びその外囲体に関する。
【背景技術】
【０００２】
従来、金属製の折板タイプの建築用板材とキャップ材からなり、複数の前記建築用板材が並設され、その隣接する建築用板材の対向する被嵌合部にキャップ材を嵌合させて、屋根、壁等の外囲体を構成するものが多く存在し、盛んに施工されている。そして、現在、この種の屋根（又は壁）に、太陽光発電ユニット等の装置や構造物を装着することが多くなり始めている。
【先行技術文献】
【特許文献】
【０００３】
【特許文献１】特開２０１１―１８５０１４号公報
【特許文献２】特開２００６―３０７５６７号公報
【発明の開示】
【発明が解決しようとする課題】
【０００４】
前述したように、建築用板材及びキャップ材によって構成される屋根，壁等の外囲体では、強風等に十分に耐えられるように、部材を強固にする必要があるが、強固にすることで部材が重くなり、施工が困難となる問題点が生じる。また、屋根，壁等の外囲体に太陽光発電ユニット等の装置や構造物を装着する必要性もあり、そのための手段は、種々存在する。たとえば、外囲体に対して、建築用取付具等の金具を介して太陽光発電ユニット等の装置や構造物を装着する手段が一般的である。その一例として、特許文献１，２等が存在する。
【０００５】
しかし、この種のものでは、屋根や壁等の外囲体を構成するための部材以外に太陽光発電ユニット等の装置や構造物を固着するための部材や金具が必要である。したがって、外囲体を構成する部材が増えると共に、工程も増えることになる。本発明の目的（解決しようとする技術的課題）は、外囲体を構成するほとんど建築用板材とキャップ材のみで、太陽光発電ユニット等の装置や構造物を外囲体に装着し、これによって、部品数及び工程を少なくし、しかも作業効率を向上させることにある。
【課題を解決するための手段】
【０００６】
そこで、発明者は上記課題を解決すべく、鋭意,研究を重ねた結果、請求項１の発明を、頂部の幅方向中間箇所に位置する開口溝部と、前記頂部の下方に形成され且つ前記開口溝部よりも幅広とした拡大溝部とからなる上接続支持部と、該上接続支持部の幅方向両側より形成された脚状片からなる下接続支持部とからなり、前記頂部の裏面側で且つ前記開口溝部の幅方向両側位置には該開口溝部の長手方向に沿って押え面部が形成され、前記上接続支持部と前記下接続支持部とは一体形成された形鋼材としてなる建築用取付材としたことにより、上記課題を解決した。
【０００７】
請求項２の発明を、請求項１において、前記押え面部は前記頂部の裏面側で且つ前記開口溝部の幅方向両側箇所に形成される突起条としてなる建築用取付材としたことにより、上記課題を解決した。請求項３の発明を、請求項１において、前記押え面部は前記開口溝部の幅方向両側箇所に形成される段差面部としてなる建築用取付材としたことにより、上記課題を解決した。
【０００８】
請求項４の発明を、請求項１，２又は３のいずれか１項の記載において、前記上接続支持部内には螺合用溝条が形成されてなる建築用取付材としたことにより、上記課題を解決した。請求項５の発明を、請求項１，２，３又は４のいずれか１項の記載において、前記頂部の表面は平坦状に形成されてなる建築用取付材としたことにより、上記課題を解決した。
【０００９】
請求項６の発明を、頂部の幅方向中間箇所に位置する開口溝部と、前記頂部の下方に形成され且つ前記開口溝部よりも幅広とした拡大溝部とからなる上接続支持部と、該上接続支持部の幅方向両側より形成された下接続支持部とからなり、前記頂部の裏面側で且つ前記開口溝部の幅方向両側位置には該開口溝部の長手方向に沿って押え面部が形成され、前記上接続支持部と前記下接続支持部とは一体形成された形鋼材としてなる建築用取付材と、主板の幅方向両側に半山形状部が形成された建築用板材とからなり、隣接する前記建築用板材の半山形状部上に前記建築用取付材の下接続支持部が固着されてなる外囲体としたことにより、上記課題を解決した。請求項７の発明を、請求項６において、前記建築用取付材の前記頂部には、太陽光発電ユニットが載置固定されてなる外囲体としたことにより、上記課題を解決した。
【発明の効果】
【００１０】
請求項１の発明では、建築用取付材は、頂部の幅方向中間箇所に位置する開口溝部と、前記頂部の下方に形成され且つ前記開口溝部よりも幅広とした拡大溝部とからなる上接続支持部と、該上接続支持部の幅方向両側より形成された下接続支持部とからなり、前記上接続支持部と前記下接続支持部とは一体形成された形鋼材としたものである。
【００１１】
このように、建築用取付材は、上接続支持部と下接続支持部とが一体形成された形鋼材であるため、力学的強度が良好で、耐久性のあるものにでき、ひいては、建築用取付材を使用して施工された外囲体も力学的強度に優れたものにできる。
【００１２】
さらに、建築用取付材は大量生産に好適であり、長尺な状態で建築現場に持ち込んで、そのまま使用することもできるし、また必要な長さに切断して使用することもできる。また、このような構造を備えた建築用取付材を屋根，壁等の外囲体を構成する部材として使用することによって、太陽光発電ユニット或いはその他の装置或いは構造物を外囲体に装着することが、極めて容易且つ効率的にできる。
【００１３】
従来では、嵌合タイプの折板屋根（或いは壁）等によって施工された屋根，壁等の外囲体では、その構造又は外形において太陽光発電ユニット等の構造物を取り付けるための部位が存在しておらず、そのために、外囲体に別の取付具を装着し、該取付具を介して両者を連結しなくてはならないものであった。また、このような取付具を外囲体に装着するために、外囲体の一部を加工する等の必要があり、装着作業は極めて手間取り、面倒なものであった。
【００１４】
これに対して、本発明における建築用取付材では、上接続支持部に開口溝部と、該開口溝部よりも幅方向寸法が大きい拡大溝部とを形成したものである。つまり開口溝部と拡大溝部とによって形成される空隙の断面形状は、略蟻溝又は略鳩尾形状としたものである。
【００１５】
そのために、拡大溝部の内部にたとえばボルト材の頭部、或いは板片に螺子軸部を溶接固着した係止具の板片を挿入し、開口溝部から上接続支持部の外部に螺子軸部を突出するように設置しておくことによって、これらの螺子軸部を利用することで、建築用取付材には一切加工することなく、太陽光発電ユニット等の種々の構造物を極めて容易に装着することができる。
【００１６】
さらに、頂部の裏面側で且つ開口溝部の幅方向両側位置には該開口溝部の長手方向に沿って押え面部が形成されることにより、前述したボルト材の六角頭部を拡大溝部内に挿入し、前記六角頭部の最小幅となる対向する頭部側面を両突起条間に配置することで、頭部が回転しないように係止状態に固定することができ、ボルト材の軸周方向の空転することを防止することができる。
【００１７】
これによって、前述したように、建築用取付材にボルト材を装着し、該ボルト材を利用して太陽光発電ユニット等の構造物を固定する作業を行う場合において、ボルト材の空転を防止することができるので、太陽光発電ユニットを固定するブラケット，金具等をボルト材とナット等にて締め付けることが容易且つ効率的にできる。
【００１８】
さらに、屋根，壁等の外囲体を建築用板材と、その隣接する建築用板材同士を連結するキャップ材から構成されるタイプでは、本発明の建築用取付材の下接続支持部を前記キャップ材の嵌合部分と略同等形状とすることによって、前記建築用取付材を前記キャップ材の上方から押えこむのみで、極めて簡単にキャップ材を装着することができ、外囲体に太陽光発電ユニット等の構造物を設置するための、作業効率を向上させることができる。
【００１９】
また、屋根，壁等の外囲体を建築用板材と、その隣接する建築用板材同士を連結するキャップ材から構成されるタイプとした場合には、本発明の建築用取付材を前記キャップ材としての役目を兼用することができる。具体的には、建築用取付材の下接続支持部を、外囲体の並設された建築用板材の端部箇所同士に嵌合固定するためのキャップ材の嵌合部分と略同等形状とすることによって、前記建築用取付材を並設された建築用板材の端部箇所同士に容易に嵌合固定することができ、外囲体を新設する場合等において、作業効率を向上させることができる。
【００２０】
請求項２の発明では、前記押え面部は前記頂部の裏面側で且つ前記開口溝部の幅方向両側箇所に形成される突起条としたことにより、突起条を形鋼材の一部分とすることによって、形鋼材製造時に形成することができ、また、突起条は突起した部分であるために、補強リブとしての役目もなし、本発明の建築用取付材の力学的強度も向上させることができる。請求項３の発明では、前記押え面部は前記開口溝部の幅方向両側箇所に形成さえる段差面部としたことにより、該段差面部は形状が極めて簡単な形鋼材として、低価格に提供することができる。
【００２１】
請求項４の発明では、前記上接続支持部内には螺合用溝条が形成されたことにより、建築用取付材は多様的に使用することができる。請求項５の発明では、建築用取付材の頂部は平坦状（略平坦状も含む）に形成されているので、太陽光発電ユニット等の構造物を極めて安定した状態で設置することができる。
【００２２】
請求項６の発明では、主板の幅方向両側に半山形状部が形成された建築用板材とからなり、隣接する前記建築用板材の半山形状部上に本発明の建築用取付材の下接続支持部を固着することにより、太陽光発電ユニット等の構造物を容易に装着することができる外囲体を施工することができる。
【００２３】
つまり、外囲体において並設された建築用板材の端部同士をキャップ材にて嵌合固着する嵌合タイプとした場合には、前記キャップ材上に本発明の建築用取付材の下接続支持部を被せるように嵌合固定するのみで、前述したような太陽光発電ユニット等の構造物を容易に装着することができる外囲体を施工することができる。また、本発明の建築用取付材は、そのまま前記キャップ材としての役目もなし、建築用取付材をキャップ材として使用する場合には、外囲体を構成する部品点数を減らすことができる。
【００２４】
請求項６発明では、外囲体に装着した前記建築用取付材の前記頂部に太陽光発電ユニットが載置したことで、外囲体を構成する建設用板材及びキャップ材等には何ら加工することなく、最少部品数にて太陽光発電ユニットを外囲体に装着することができ、しかも簡易且つ迅速にできる。
【図面の簡単な説明】
【００２５】
【図１】(Ａ)は本発明における外囲体の正面略示図、(Ｂ)は (Ａ)の（ア）部拡大断面図である。
【図２】(Ａ)は本発明における第１実施形態の建築用取付材の斜視図、(Ｂ)は第１実施形態の建築用取付材の縦断正面視図、（Ｃ）は（Ｂ）の（イ）部拡大図、（Ｄ）は（Ｃ）のＸ1―Ｘ1矢視断面図である。
【図３】本発明における建築用取付材を外囲体のキャップ材に嵌合手段にて装着しようとする状態の要部縦断正面図。
【図４】(Ａ) は本発明の建築用取付材を外囲体のキャップ材の兼用として並設された建築用板材の端部同士に装着しようとする状態の要部縦断正面図、(Ｂ)は本発明の建築用取付材を外囲体の並設された建築用板材の端部同士に装着した状態の要部縦断正面図である。
【図５】（Ａ）は本発明の建築用取付材の第２実施形態の縦断正面図、(Ｂ)は (Ａ)の（ウ）部拡大断面図である。
【図６】(Ａ)は外囲体に太陽光発電ユニットを装着した状態の側面略示図、(Ｂ)は外囲体の前後方向に隣接する太陽光発電ユニットを装着した状態の側面略示図である。
【図７】（Ａ）外囲体に太陽光発電ユニットを装着した状態の平面略示図、（Ｂ）は建築用取付材の長手方向に端部にて太陽光発電ユニットの装着を支持する側面略示図、（Ｃ）は（Ｂ）の一部切除したＹ1―Ｙ1矢視図である。
【図８】（Ａ）は本発明に建築用取付材と係止具の斜視図、 (Ｂ)は本発明における建築用取付材の拡大溝部に係止具を装着しようとする工程を示す平面略示図、(Ｃ)は建築用取付材の拡大溝部に係止具を装着した状態の平面略示図である。
【発明を実施するための形態】
【００２６】
以下、本発明を図面に基づいて説明する。まず、本発明における建築用取付材Ａから説明し、そのあとに外囲体について説明する。建築用取付材Ａは、複数の実施形態が存在し、まず第１実施形態の建築用取付材Ａを説明すると、上接続支持部１と下接続支持部２とから構成される。
【００２７】
上接続支持部１と下接続支持部２とは、一体形成された形鋼材として形成され、その長手方向に長尺物として形成される〔図２（Ａ）参照〕。使用される形鋼材の材質は、鋼材等の金属及びアルミニウム等の軽金属が使用される。
【００２８】
上接続支持部１は、図１（Ｂ），図２（Ａ），（Ｂ）等に示すように、内部が中空状に形成されたものである。そして、該上接続支持部１の長手方向に直交する断面形状は、略長方形状に形成され、頂部１１，底部１２及び幅方向両側の側面部１３，１３から構成される。前記頂部１１の表面は、平坦状の面として形成され、後述する太陽光発電ユニット等の構造物が設置し易いようになっている〔図１（Ｂ），図２（Ａ），（Ｂ）参照〕。
【００２９】
また、上接続支持部１の内部は中空状に形成され、前記上部受部材１の幅方向中間箇所には開口溝部１４が形成されている。該開口溝部１４は、一定の溝幅を有し、上接続支持部１の長手方向に沿って直線状の溝形状の開口として形成されたものである〔図２（Ａ）参照〕。前記開口溝部１４の溝幅は、後述するボルト材３又は係止具４の螺子軸部３２（又は４２）の直径よりも大きく、ボルト材３の頭部３１又は係止具４の係止部４１の長手方向寸法より小さく形成される。
【００３０】
前記上接続支持部１の内部で、前記頂部１１の下方には拡大溝部１５が形成されている〔図１（Ａ），図２（Ａ），（Ｂ）等参照〕。該拡大溝部１５は、上接続支持部１の幅方向において、前記開口溝部１４よりも幅広とした空隙室として形成されたものである。また、拡大溝部１５は、上接続支持部１内において形成された２個の仕切り板１ａ，１ａによって区切られた部屋である。
【００３１】
両仕切り板１ａ，１ａは、前記開口溝部１４を中心として該開口溝部１４の幅方向両側に形成される。前記両仕切り板１ａ，１ａによって、拡大溝部１５は、上接続支持部１の長手方向に直交する断面形状が略長方形状に形成される。拡大溝部１５において、頂部１１の裏面側で且つ前記開口溝部１４の幅方向両側箇所には、押え面部１６，１６が形成されている。
【００３２】
前記両押え面部１６，１６は、建築用取付材Ａに装着される取付具Ｂのボルト材３の空転防止の役目をなすものである。両押え面部１６，１６の間隔は、前記拡大溝部１５内に挿入されるボルト材３の頭部３１の最小幅寸法と同一としたものである。両押え面部１６，１６の間隔とは、対向する面側同士の間隔である。前記頭部３１は、通常のボルトと同様に六角形状であり、その最小幅寸法とは、対向する２つの頭部側面３１ａ，３１ａの間隔となる。
【００３３】
したがって、両押え面部１６，１６の間隔Ｗａは、頭部３１の対向する２面の頭部側面３１ａ，３１ａの間隔Ｗｂと近似した略同一寸法であるが、この同一は、実際には両押え面部１６，１６の間隔Ｗａが，頭部３１の対向する２つの頭部側面３１ａ，３１ａの間隔Ｗｂ（最小幅寸法）よりも僅かに大きく構成されることも含むものである。
【００３４】
つまり、頭部３１の２つの頭部側面３１ａ，３１ａは、両押え面部１６，１６に対して多少の隙間を有して挿入されることができるようにすることが好ましい。したがって、両押え面部１６，１６の間隔Ｗａは、頭部３１の対向する２つの頭部側面３１ａ，３１ａの間隔Ｗｂと近似した略同一であり、且つ間隔Ｗａは間隔Ｗｂよりも僅かに大きい寸法である。
【００３５】
すなわち、
2014105533.tif 000003
である。
【００３６】
両押え面部１６，１６には、複数の実施形態が存在し、その第１実施形態としては、突起条１６ａ，１６ａとしたものである。該突起条１６ａは、前記開口溝部１４の長手方向と平行に突起条１６ａ，１６ａが形成されている〔図１（Ａ），図２（Ａ），（Ｂ）等参照〕。そして、両突起条１６ａ，１６ａの対向する側面同士が押え面部１６，１６として使用されるものである。
【００３７】
また、押え面部１６の第２実施形態では、段差形状としたものである、前記頂部１１の裏面で且つ開口溝部１４に段差面部１６ｂ，１６ｂが形成されたものである（図５参照）。さらに、具体的には、それぞれの段差面部１６ｂは、前記開口溝部１４の幅方向両端縁の下方側に略「Γ」字形状の段差として形成され、その対向する垂直面同士を押え面部１６，１６としたものである。両段差面部１６ｂ，１６ｂの間隔は、開口溝部１４の溝幅よりも広く、また前述した突起条１６ａ，１６ａと同様に間隔Ｗａとなる〔図５（Ｂ）参照〕。
【００３８】
そして、頭部３１の対向する２つの頭部側面３１ａ，３１ａが前記両押え面部１６，１６間に収まり、ボルト材３を利用して建築用取付材Ａに種々の構造物を装着するときに、両突起条１６ａ，１６ａが頭部３１を固定し、ボルト材３を軸周方向に空転しないようにすることができる〔図２（Ｃ），（Ｄ），図５参照〕。
【００３９】
下接続支持部２は、上接続支持部１の底部１２から下方に向かって脚状に形成されたものであり、２本の脚状片２１，２１から構成される。そして、２本の脚状片２１，２１は、略「ハ」字形状となるように配置され、相互に対向する側に嵌合突起２１ａ，２１ａが形成されている。
【００４０】
それぞれの嵌合突起２１ａは、脚状片２１の上下方向の中間箇所に形成されたり、或いは脚状片２１の下端箇所に形成される。下接続支持部２の両脚状片２１，２１は、後述する外囲体を構成するキャップ材を幅方向に挟持しつつ、前記両嵌合突起２１ａ，２１ａによって嵌合固定するものである〔図１（Ｂ），図３，図４等参照〕。
【００４１】
また、前記上接続支持部１内の空隙部で且つ前記拡大溝部１５の両側よりも外側には、螺合用溝条１７，１７が形成されている〔図２（Ａ），（Ｂ）参照〕。該螺合用溝条１７は、建築用取付材Ａの長手方向に沿って形成されたものである。両螺合用溝条１７，１７は、タッピングビス又はドリルビス等をねじ込むことにより雌螺子が形成される。
【００４２】
これによって、建築用取付材Ａの長手方向端部に種々の部品をビス等の固着具によって固着できる。具体的には、建築用取付材Ａの長手方向端部箇所に、後述する太陽光発電ユニット８等を固定するための押え具７を装着する場合に、螺合用溝条１７，１７が利用されるものである。この場合では、押え具７は螺子孔が形成され、タッピングビス又はドリルビス等の固着具９を締め付けて、押え具７を建築用取付材Ａの長手方向端部に装着することができる〔図７（Ｂ），（Ｃ）参照〕。
【００４３】
本発明における建築用取付材Ａは、前述したように、形鋼材であり、上接続支持部１と下接続支持部２とが一体的に構成されたものである。上接続支持部１には開口溝部１４及び拡大溝部１５が一体化され、製造が極めて容易にできる。
【００４４】
取付具Ｂは、ボルト材３及び係止具４が存在する。ボルト材３は、前述した頭部３１と、螺子軸部３２とから構成される。頭部３１は、前述したように、一般のボルトと同様に六角形状をなしているが、四角形状のものであってもかまわない。螺子軸部３２の直径は、前記建築用取付材Ａの開口溝部１４の溝幅寸法よりも小さい。
【００４５】
そして、頭部３１が、拡大溝部１５内に挿入され、螺子軸部３２は、開口溝部１４から頂部１１の外部に突出する〔図２（Ａ），図３（Ａ）等参照〕。そして、前述したように、頭部３１の最小幅部分が前記両押え面部１６，１６間に収まる。
【００４６】
次に、取付具Ｂの別の実施形態である係止具４は、係止部４１と螺子軸部４２とから構成され、係止部４１に対して螺子軸部４２が垂直状に溶接等にて固着されたものである〔図８（Ａ）参照〕。前記係止部４１は、金属製の板片として形成され、長手方向両端が傾斜端辺４１ａ，４１ａに形成されて、略平行四辺形として形成されたものである。
【００４７】
前記係止部４１は、その長手方向に直交する幅方向の寸法が、前記開口溝部１４の溝幅よりも小さく形成され、係止部４１の長手方向を前記拡大溝部１５の長手方向と一致させることで、開口溝部１４から拡大溝部１５内に遊挿可能（余裕又は隙間を有して挿入可能な状態）となる〔図８（Ｂ）参照〕。
【００４８】
この状態で前記螺子軸部４２を軸周方向に回転させることにより、係止部４１は拡大溝部１５内で回転し、係止部４１の長手方向両端箇所が拡大溝部１５の幅方向両端に当接し、係止部４１は拡大溝部１５に係止可能な状態となる。
【００４９】
次に、建築用板材５は、主板５１の幅方向両端箇所に半山形状部５２，５２が形成され、該両半山形状部５２，５２の上端より被嵌合部５３，５３が形成されている。前記半山形状部５２は、前記主板５１に対して幅方向両端より上向きで外方に傾斜状として形成されている（図１参照）。
【００５０】
被嵌合部５３，５３は、前記半山形状部５２の上端より外方に向かって水平片５３ａ，５３ａが形成され、該水平片５３ａ，５３ａの外端より垂直状片５３ｂ，５３ｂが形成され、該垂直状片５３ｂ，５３ｂの上端より内方側（主板５１側）に向かって被嵌合屈曲片５３ｃ，５３ｃが形成されたものである。
【００５１】
隣接する建設用板材５，５の対向する被嵌合部５３，５３には、キャップ材５４が嵌合され、隣接する両建設用板材５，５が連結される。前記キャップ材５４は、上部５４ａの幅方向両側に嵌合片５４ｂ，５４ｂが形成されたものである。両嵌合片５４ｂ，５４ｂには嵌合屈曲片５４ｃ，５４ｃが形成されている。
【００５２】
次に、建築用取付材Ａと、建築用板材５とから屋根，壁等の外囲体を施工することについて説明する。まず、母屋，胴縁等の構造材６１に受具６２が所定間隔をおいて固着される〔図１（Ａ）参照〕。受具６２は、略台形状に形成され、頂部６２ａの幅方向両側から脚部６２ｂ，６２ｂが形成されたものである。
【００５３】
そして、隣接する受具６２，６２，…間に、建築用板材５，５，…が配置され、半山形状部５２が受具６２上に配置される。受具６２上で隣接する半山形状部５２，５２は、左右対称に対向する構成となる。次いで、受具６２の頂部６２ａ上に吊子６３，６３がボルト・ナット等の固着具を介して固着される。該吊子６３，６３は、吊子本体６３ａの幅方向両側に舌片６３ｂ，６３ｂが形成されている〔図１（Ｂ）参照〕。
【００５４】
吊子６３の両舌片６３ｂ，６３ｂが受具６２上で隣接対向する被嵌合部５３，５３に巻き付けられる〔図１（Ｂ）参照〕。これによって、受具６２に両被嵌合部５３，５３と共に建築用板材５，５が受具６２に固定される。そして、両建設用板材５，５の両被嵌合部５３，５３にキャップ材５４が嵌合固定される。このとき、キャップ材５４の両嵌合屈曲片５４ｃ，５４ｃが隣接対向する被嵌合部５３，５３に嵌合するものである。
【００５５】
そして、前記キャップ材５４上に本発明における建築用取付材Ａが被せられ、該建築用取付材Ａの下接続支持部２の脚状片２１，２１が前記キャップ材５４の両嵌合片５４ｂ，５４ｂに重合し、嵌合突起２１ａ，２１ａが嵌合屈曲片５４ｃ，５４ｃに嵌合し、建築用取付材Ａが外囲体のキャップ材５４上に嵌合装着される。
【００５６】
また、外囲体において、並設された建設用板材５，５の対向する被嵌合部５３，５３にキャップ材５４が装着されず、本発明の建築用取付材Ａをキャップ材５４の代わりとして使用することもある〔図４（Ａ）参照〕。この場合では、建築用取付材Ａの下接続支持部２の嵌合突起２１ａ，２１ａが並設された建設用板材５，５の対向する被嵌合部５３，５３に直接嵌合固定される〔図４（Ｂ）参照〕。３これが順次繰り返されることにより、後述する太陽光発電ユニット８等の構造物を装着可能な屋根，壁等の外囲体が施工される。
【００５７】
次に、建築用取付材Ａと建築用板材５，５，…にて構成された屋根，壁等の外囲体に太陽光発電ユニット８を装着することについて説明する。まず、建築用取付材Ａの拡大溝部１５へボルト材３の頭部３１を挿入しつつ、螺子軸部３２は開口溝部１４から突出させておく。次に、複数の建築用取付材Ａ，Ａ，…上に太陽光発電ユニット８が載置される。
【００５８】
一方、前記ボルト材３の螺子軸部３２には、押え具７が装着され、太陽光発電ユニット８の枠部８１を押さえる押え具７にて押え、押え具７を前記螺子軸部３２とナット３３によって固着する。そして、太陽光発電ユニット８の対向する枠部８１，８１を前記ボルト材３と押え具７によって固定することで、太陽光発電ユニット８を外囲体に強固に装着することができる（図１参照）。
【００５９】
前記押え具７は、複数のタイプが存在し、その第１タイプとしては、断面略逆Ｌ字形状をなし、押え片７１と支持片７２とから構成され、前記押え片７１にはボルト材３の螺子軸部３２が貫通する貫通孔７１ａが形成されている〔図６（Ａ）参照〕。そして、建築用取付材Ａに装着されたボルト材３の螺子軸部３２を前記押え具７の貫通孔７１ａに貫通させて、ナット３３によって押え具７を固定する。
【００６０】
また、押え具７の第２タイプとしては、複数の太陽光発電ユニット８，８，…が前後方向に隣接して配置されたものに適応するものである〔図６（Ｂ）参照〕。このタイプでは、前後方向に左右対称となる押え片７１が形成され、両押え片７１，７１の間に一段低くなる位置に支持片７２が形成されたものである。支持片７２には貫通孔７２ａが形成され、ボルト材３の螺子軸部３２が貫通し、ナット３３にて押え具７の両押え片７１，７１が隣接する太陽光発電ユニット８，８の対向する枠部８１，８１を押さえて固定する。
【００６１】
本発明では、外囲体に装着する構造物を太陽光発電ユニット８としたが、前記構造物は、太陽光発電ユニット８に限定されるものではなく、たとえば緑化屋根を構成するための緑化パレットをボルト材３（又は係止具４）及び押え具７によって固定し、外囲体を緑化屋根とすることもできる。また、構造物として雪止め部材を係止具４にて固着することも可能である。
【符号の説明】
【００６２】
Ａ…建築用取付材、１…上接続支持部、１１…頂部、１４…開口溝部、
１５…拡大溝部、１６…押え面部、１６ａ…突起条、１６ｂ…段差面部、
１７…螺合用溝条、２…下接続支持部、２１…脚状片、８…太陽光発電ユニット。
【図１】
2014105533.tif 000004
【図２】
2014105533.tif 000005
【図３】
2014105533.tif 000006
【図４】
2014105533.tif 000007
【図５】
2014105533.tif 000008
【図６】
2014105533.tif 000009
【図７】
2014105533.tif 000010
【図８】
2014105533.tif 000011